(57)【要約】【課題】アンテナのアンテナ長を抑えるとともに、携帯可能な小ささを確保しつつ、安定した受信感度でテレビジョン放送信号を受信できるテレビジョン受像機を提供する【解決手段】携帯可能なテレビジョン受像機１において、表示部２２が前面側に配置された本体部２と、本体部２に設けられた導電性の蓋部３と、ロッドアンテナ２４を介してテレビジョン放送信号を受信する受信部２５と、を備え、蓋部３は、表示部２２の表示画面全体を覆った第１状態と、表示部２２の表示画面全体を露出させた第２状態と、に切り替わるように構成されており、本体部２は、受信部２５のグランドとして機能するグランド部２６を備え、蓋部２が、グランド部２６と電気的に接続されるよう構成した。【選択図】図２
2008300924.tif 000002
【特許請求の範囲】
【請求項１】
携帯可能なテレビジョン受像機において、
表示部が前面側に配置された本体部と、
前記本体部に設けられた導電性の蓋部と、
アンテナを介してテレビジョン放送信号を受信する受信部と、を備え、
前記蓋部は、前記表示部の表示画面全体を覆った第１状態と、前記表示部の表示画面全体を露出させた第２状態と、に切り替わるように構成されており、
前記本体部は、前記受信部のグランドとして機能するグランド部を備え、
前記蓋部は、前記グランド部と電気的に接続されていることを特徴とするテレビジョン受像機。
【請求項２】
請求項１に記載のテレビジョン受像機において、
前記第２状態において、前記本体部の前面と前記蓋部が略平行となるように構成されていることを特徴とするテレビジョン受像機。
【請求項３】
請求項１又は２に記載のテレビジョン受像機において、
前記蓋部は、前記本体部に回動自在に設けられていることを特徴とするテレビジョン受像機。
【請求項４】
請求項３に記載のテレビジョン受像機において、
前記蓋部は、前記本体部の下端に設けられており、前記本体部の前面と略直交する第３状態に切り替え可能に構成されていることを特徴とするテレビジョン受像機。
【請求項５】
請求項１〜４の何れか一項に記載のテレビジョン受像機において、
前記本体部の前面側に操作部を備え、
前記蓋部は、前記第１状態において前記操作部を覆うとともに、前記第２状態において前記操作部を露出させることを特徴とするテレビジョン受像機。
【請求項６】
携帯可能なテレビジョン受像機において、
表示部及び操作部が前面側に配置された本体部と、
前記本体部の下端に回動自在に設けられた導電性の蓋部と、
ロッドアンテナを介してテレビジョン放送信号を受信する受信部と、を備え、
前記蓋部は、前記表示部の表示画面全体及び前記操作部を覆った第１状態と、前記本体部の前面と略平行となることによって前記表示部の表示画面全体及び前記操作部を露出させた第２状態と、前記本体部の前面と略直交する第３状態と、に切り替わるように構成されており、
前記本体部は、前記受信部のグランドとして機能するグランド部を備え、
前記蓋部は、前記グランド部と電気的に接続されていることを特徴とするテレビジョン受像機。
【発明の詳細な説明】
【技術分野】
【０００１】
本発明は、携帯可能なテレビジョン受像機に関する。
【背景技術】
【０００２】
従来、伸縮自在なロッドアンテナを介してテレビジョン放送信号を受信して表示部に表示することができる携帯可能な小型のテレビジョン受像機が知られている。
【０００３】
ところで、テレビジョン放送信号を安定した受信感度で得るためには、一定長さのアンテナ長と一定広さのグランド面積が必要であり、グランド面積が十分であればアンテナ長は最小限で済むし、アンテナ長が十分であればグランド面積は最小限で済むようになっている。
しかしながら、アンテナ長を長くしたり、グランド面積を大きくしたりすることは、携帯可能なテレビジョン受像機の小型化の妨げになる。
【０００４】
そこで、例えば、筐体のカバーである金属フレームをループアンテナとして利用する放送用受信機付き携帯電話機（例えば、特許文献１参照）のように、テレビジョン受像機の筐体のカバーをアンテナとして動作させて、十分なアンテナ長を確保する方法が考えられる。
【特許文献１】特開２００６−１９７３２９号公報
【発明の開示】
【発明が解決しようとする課題】
【０００５】
しかしながら、ループアンテナは指向性アンテナであり、ロッドアンテナは無指向性アンテナであるため、テレビジョン受像機をモバイル用途として使用するためには、ロッドアンテナの方が適している。
【０００６】
本発明の課題は、アンテナのアンテナ長を抑えるとともに、携帯可能な小ささを確保しつつ、安定した受信感度でテレビジョン放送信号を受信できるテレビジョン受像機を提供することにある。
【課題を解決するための手段】
【０００７】
上記課題を解決するために、請求項１に記載の発明は、
携帯可能なテレビジョン受像機において、
表示部が前面側に配置された本体部と、
前記本体部に設けられた導電性の蓋部と、
アンテナを介してテレビジョン放送信号を受信する受信部と、を備え、
前記蓋部は、前記表示部の表示画面全体を覆った第１状態と、前記表示部の表示画面全体を露出させた第２状態と、に切り替わるように構成されており、
前記本体部は、前記受信部のグランドとして機能するグランド部を備え、
前記蓋部は、前記グランド部と電気的に接続されていることを特徴とする。
【０００８】
請求項２に記載の発明は、
請求項１に記載のテレビジョン受像機において、
前記第２状態において、前記本体部の前面と前記蓋部が略平行となるように構成されていることを特徴とする。
【０００９】
請求項３に記載の発明は、
請求項１又は２に記載のテレビジョン受像機において、
前記蓋部は、前記本体部に回動自在に設けられていることを特徴とする。
【００１０】
請求項４に記載の発明は、
請求項３に記載のテレビジョン受像機において、
前記蓋部は、前記本体部の下端に設けられており、前記本体部の前面と略直交する第３状態に切り替え可能に構成されていることを特徴とする。
【００１１】
請求項５に記載の発明は、
請求項１〜４の何れか一項に記載のテレビジョン受像機において、
前記本体部の前面側に操作部を備え、
前記蓋部は、前記第１状態において前記操作部を覆うとともに、前記第２状態において前記操作部を露出させることを特徴とする。
【００１２】
請求項６に記載の発明は、
携帯可能なテレビジョン受像機において、
表示部及び操作部が前面側に配置された本体部と、
前記本体部の下端に回動自在に設けられた導電性の蓋部と、
ロッドアンテナを介してテレビジョン放送信号を受信する受信部と、を備え、
前記蓋部は、前記表示部の表示画面全体及び前記操作部を覆った第１状態と、前記本体部の前面と略平行となることによって前記表示部の表示画面全体及び前記操作部を露出させた第２状態と、前記本体部の前面と略直交する第３状態と、に切り替わるように構成されており、
前記本体部は、前記受信部のグランドとして機能するグランド部を備え、
前記蓋部は、前記グランド部と電気的に接続されていることを特徴とする。
【発明の効果】
【００１３】
本発明によれば、携帯可能なテレビジョン受像機において、表示部が前面側に配置された本体部と、本体部に設けられた導電性の蓋部と、アンテナを介してテレビジョン放送信号を受信する受信部と、を備え、本体部は、受信部のグランドとして機能するグランド部を備え、蓋部は、グランド部と電気的に接続されている。
すなわち、蓋部は、グランド部とともに、受信部のグランドとして機能するため、受信部のグランドとして機能する部分がグランド部のみの場合よりも、グランド面積を大きく確保することができることとなって、アンテナのアンテナ長を抑えるとともに、携帯可能な小ささを確保しつつ、安定した受信感度でテレビジョン放送信号を受信できる。
【００１４】
また、蓋部は、表示部の表示画面全体を覆った第１状態と、表示部の表示画面全体を露出させた第２状態と、に切り替わるように構成されている。したがって、例えば、携帯時には、第１状態にして表示部の表示画面を保護することができることとなって、利便性が高い。
【発明を実施するための最良の形態】
【００１５】
以下、図を参照して、本発明にかかるテレビジョン受像機の最良の形態を詳細に説明する。なお、発明の範囲は、図示例に限定されない。
【００１６】
＜テレビジョン受像機の構成＞
図１（ａ）、図２（ａ）及び図３（ａ）は、本発明のテレビジョン受像機１の正面図であり、図１（ｂ）、図２（ｂ）、図３（ｂ）、図４、図６及び図７は、本発明のテレビジョン受像機１の側面図である。また、図５は、本発明のテレビジョン受像機１に内蔵されている受信部２５の機能的構成を示すブロック図である。
なお、以下の説明では、テレビジョン受像機１の使用時にユーザが見る側（すなわち、表示部２２が配置された側）を前側とし、前側に対向する側を後側とするとともに、テレビジョン受像機１の使用時にユーザから見て上になる側を上側とし、下になる側を下側とする。そして、前後方向及び上下方向の双方に直交する方向を左右方向とする。
【００１７】
テレビジョン受像機１は、携帯可能な大きさに形成されており、テレビジョン放送信号を受信して表示部２２に表示するようになっている。
具体的には、テレビジョン受像機１は、例えば、本体部２と、蓋部３と、本体部２と蓋部３とを連結するための連結部材４と、などを備えて構成される。
【００１８】
本体部２は、例えば、図２に示すように、外形が略直方体状のケース２１と、ケース２１の前面側に設けられた表示部２２や操作部２３と、ケース２１の左側面後側に設けられたロッドアンテナ（ホイップアンテナ）２４と、ケース２１に内蔵された受信部２５やグランド部２６と、などを備えて構成される。
なお、ロッドアンテナ２４の配設位置は、ケース２１の左側面後側に限ることはなく、ケース２１の所定箇所であれば任意である。
【００１９】
ケース２１は、例えば、図２に示すように、ケース２１の下端に設けられた４個の本体側突出部２１ａ，…を備えている。
本体側突出部２１ａには、例えば、連結部材４が左右方向に貫通する貫通孔が設けられている。
【００２０】
表示部２２は、例えば、ＬＣＤ（Liquid Crystal Display）パネルなどにより構成されており、例えば、ロッドアンテナ２４を介して受信部２５により受信されたテレビジョン放送信号に基づく映像を表示する。
【００２１】
操作部２３は、例えば、各種機能キーなどから構成されており、例えば、ユーザがチャンネルを選局する際や音量を調整する際などに操作される。
【００２２】
ロッドアンテナ２４は、例えば、テレビジョン放送波を受信する。
ロッドアンテナ２４は、例えば、伸縮自在に構成されている。具体的には、例えば、図４（ａ）に示すロッドアンテナ２４は、縮んだ状態であり、本体部２のケース２１の内部に収容されている。一方、例えば、図４（ｂ）に示すロッドアンテナ２４は、伸びた状態であり、本体部２のケース２１の外部から突出している。
【００２３】
受信部２５は、例えば、ロッドアンテナ２４を介してテレビジョン放送信号を受信する。
具体的には、受信部２５は、例えば、図５に示すように、ロッドアンテナ２４とグランド部２６とのインピーダンスを整合する整合回路２５１と、ロッドアンテナ２４により受信されたテレビジョン放送波の中からユーザ所望の番組のチャンネルに対応する周波数帯域に存在するテレビジョン放送信号を受信するチューナ２５２と、などを備えている。
【００２４】
グランド部２６は、例えば、略矩形板状に形成された導電性部材により構成されており、例えば、図５に示すように、受信部２５のグランドとして機能する。
また、グランド部２６は、例えば、導線２６１を介して、連結部材４に電気的に接続されている。
【００２５】
連結部材４は、例えば、略円柱状に形成された導電性部材により構成されており、例えば、蓋部３を本体部２の下端に回動自在に連結している。
また、連結部材４は、例えば、導線２６１を介して本体部２のグランド部２６と電気的に接続されているとともに、蓋部３と電気的に接続されている。
【００２６】
蓋部３は、例えば、図１に示すように、第１状態（後述）において本体部２の前面全体を覆うことによって、表示部２２の表示画面全体及び操作部２３を覆うように形成されており、例えば、第１状態における蓋部３の下端に設けられた３個の蓋側突出部３ａ，…を備えている。
蓋側突出部３ａには、例えば、連結部材４が左右方向に貫通する貫通孔が設けられている。
【００２７】
蓋部３は、例えば、本体部２の本体側突出部２１ａ，…同士の間に、蓋側突出部３ａ，…が係合された状態で、本体側突出部２１ａ，…の貫通孔と、蓋側突出部３ａ，…の貫通孔と、に連結部材４が貫通することによって、本体部２の下端に回動自在に設けられている。すなわち、本体側突出部２１ａ，…と、蓋側突出部３ａ，…と、連結部材４と、によって、テレビジョン受像機１のヒンジ部を形成している。
そして、蓋部３は、例えば、本体部２の前面全体を覆った第１状態（例えば、図１参照）と、本体部２の前面と略平行となることによって本体部２の前面全体を露出させた第２状態（例えば、図２参照）と、本体部２の前面と略直交することによって本体部２の前面全体を露出させた第３状態（例えば、図３参照）と、に切り替わるように構成されている。
【００２８】
具体的には、例えば、図６に示すように、蓋側突出部３ａの貫通孔には、貫通孔の周方向に沿って７個の凹部３ａ１，…が設けられており、連結部材４には、凹部３ａ１と係合可能な１個の凸部４１が設けられている。そして、蓋部３が、本体部２の下端において回動されることによって、凸部４１と係合する凹部３ａ１が順次切り替わることによって、第１状態（例えば、図６（ａ）参照）と、第２状態（例えば、図６（ｂ）参照）と、第３状態（例えば、図６（ｃ）参照）と、に切り替わるようになっている。
【００２９】
ここで、第３状態においては、例えば、図７に示すように、表示部２２を略垂直な状態で保持したまま、テレビジョン受像機１を据え置くことができるようになっている。
なお、蓋側突出部３ａの貫通孔に設けられた凹部３ａ１の個数と、連結部材４に設けられた凸部４１の個数とは、蓋部３が、少なくとも第１状態と第２状態と（好ましくは第１状態と第２状態と第３状態と）に切り替わることができるのであれば任意である。
また、本体側突出部２１ａの個数と、蓋側突出部３ａの個数とは、蓋部３を本体部２に回動自在に設けることができるのであれば任意である。
【００３０】
蓋部３は、例えば、導電性部材によって構成されており、連結部材４と電気的に接続されている。そして、蓋部３は、例えば、連結部材４と電気的に接続することによって、グランド部２６と電気的に接続されて、例えば、図５に示すように、受信部２５のグランドとして機能する。
なお、蓋部３及びグランド部２６は、受信部２５のグランドとして機能するだけでなく、テレビジョン受像機１に備えられたその他の回路（図示省略）のグランドとしても機能するよう構成されていてもよい。
【００３１】
以上説明した本発明のテレビジョン受像機１によれば、表示部２２が前面側に配置された本体部２と、本体部２に設けられた導電性の蓋部３と、ロッドアンテナ２４を介してテレビジョン放送信号を受信する受信部２５と、を備え、本体部２は、受信部２５のグランドとして機能するグランド部２６を備え、蓋部３は、グランド部２６と電気的に接続されている。
すなわち、蓋部３は、グランド部２６とともに、受信部２５のグランドとして機能するため、受信部２５のグランドとして機能する部分がグランド部２６のみの場合よりも、グランド面積を大きく確保することができることとなって、伸縮自在なロッドアンテナ２４のアンテナ長を抑えるとともに、携帯可能な小ささを確保しつつ、安定した受信感度でテレビジョン放送信号を受信できる。
【００３２】
また、蓋部３は、表示部２２の表示画面全体を覆った第１状態と、表示部２２の表示画面全体を露出させた第２状態と、に切り替わるように構成されている。
したがって、例えば、携帯時には、第１状態にして表示部２２の表示画面を保護することができることとなって、利便性が高い。
【００３３】
また、テレビジョン受像機１は、第２状態において、本体部２の前面と蓋部３が略平行となるように構成されている。
したがって、蓋部３とグランド部２６とが効率よく受信部２５のグランドとして機能することができるため、確実に、安定した受信感度でテレビジョン放送信号を受信できる。
【００３４】
また、蓋部３は、本体部２の下端に設けられており、本体部２の前面と略直交する第３状態に切り替え可能に構成されている。
すなわち、第３状態では、表示部２２を略垂直な状態で保持したまま、テレビジョン受像機１を据え置くことができるため、視聴がしやすく、使い勝手がよい。
【００３５】
また、蓋部３は、本体部２に回動自在に設けられている。
したがって、第１状態と第２状態と第３状態との切り替えを容易に行うことができ、使い勝手がよい。
【００３６】
また、テレビジョン受像機１は、本体部２の前面側に操作部２３を備え、蓋部３は、第１状態において操作部２３を覆うとともに、第２状態において操作部２３を露出させるよう構成されている。
したがって、例えば、携帯時には、第１状態にして操作部２３を保護することができるため、誤操作等を防止することができることとなって、利便性が高い。
【００３７】
なお、本発明は、上記した実施の形態のものに限るものではなく、その要旨を逸脱しない範囲で適宜変更可能である。
【００３８】
本体部２の前面と蓋部３は、必ずしも略平行となる必要はなく、第２状態において、少なくとも表示部３の表示画面全体を露出させることができればよい。
【００３９】
必ずしも蓋部３が本体部２の下端において回動する必要はなく、蓋部３が第１状態と第２状態とに切り替わるのであれば、蓋部３の移動の仕方は任意であり、例えば、スライドしてもよい。
【００４０】
蓋部３は、必ずしも第３状態に切り替わる必要はなく、少なくとも第１状態と第２状態に切り替わることができればよい。
【００４１】
必ずしも蓋部３が本体部２の前面全体を覆う必要はなく、第１状態において、蓋部３が少なくとも表示部２２の表示画面全体（好ましくは表示部２２の表示画面全体及び操作部２３）を覆うことができるのであれば、蓋部３の形状は任意である。
【００４２】
本体部２のケース２１とグランド部２６とは別体である必要はなく、例えば、一体であってもよいし、ケース２１をグランド部２６として機能させてもよい。
【００４３】
グランド部２６と蓋部３とを導線２６１及び連結部材４を介して接続するようにしたが、グランド部２６と蓋部３との接続方法は、グランド部２６と蓋部３とが電気的に接続することができれば任意であり、例えば、グランド部２６と蓋部３とを直接接続してもよい。
【００４４】
テレビジョン受像機１のアンテナは、ロッドアンテナ２４に限ることはなく、ホイップアンテナであってもよい。
【図面の簡単な説明】
【００４５】
【図１】本発明のテレビジョン受像機において、蓋部が第１状態の場合の正面図（ａ）と側面図（ｂ）である。
【図２】本発明のテレビジョン受像機において、蓋部が第２状態の場合の正面図（ａ）と側面図（ｂ）である。
【図３】本発明のテレビジョン受像機において、蓋部が第３状態の場合の正面図（ａ）と側面図（ｂ）である。
【図４】本発明のテレビジョン受像機のロッドアンテナが縮んだ状態の図（ａ）と伸びた状態の図（ｂ）である。
【図５】本発明のテレビジョン受像機の受信部の機能的構成を示すブロック図である。
【図６】第１状態（ａ）と第２状態（ｂ）と第３状態（ｃ）との切り替えを説明するための図である。
【図７】本発明のテレビジョン受像機の蓋部が第３状態の場合において、テレビジョン受像機を据え置いた状態を示した図である。
【符号の説明】
【００４６】
１  テレビジョン受像機
２  本体部
３  蓋部
２２  表示部
２４  ロッドアンテナ
２５  受信部
２６  グランド部
【図１】
2008300924.tif 000003
【図２】
2008300924.tif 000004
【図３】
2008300924.tif 000005
【図４】
2008300924.tif 000006
【図５】
2008300924.tif 000007
【図６】
2008300924.tif 000008
【図７】
2008300924.tif 000009